(57)【要約】      （修正有）【課題】美感を向上させ、高級感を演出できる商品カタログを提供する。【解決手段】商品カタログの各ページには、商品を使用した商品見本の写真を印刷するための第一区画部が設けられているとともに、該第一区画部の外側または該第一区画部内には、文字等を印刷するために空白とした第二区画部が設けられてなる。該第二区画部内には、方形状の着色部が配置され、各第一区画部に対する各着色部の色彩は異なるものに設定されているとともに、前記第一区画部と前記第二区画部と前記着色部の面積比は、一定比率とする。また、前記商品は織物であり、織物の柄毎に各着色部の色彩は異なるものに設定されているものとすることもできる。こうすれば、多種多様の織物の柄毎に色の異なる着色部を用いることで、商品カタログは全体として色彩に優れた見栄えの良いものとなる。【選択図】図２
0003175609.tif 000002
【実用新案登録請求の範囲】
【請求項１】
複数の商品を紹介する商品カタログであって、該商品カタログには、各商品毎に色の異なるＱＲコードが印刷されていることを特徴とする商品カタログ。
【請求項２】
前記商品は織物であり、織物の柄毎に色の異なるＱＲコードが印刷されていることを特徴とする請求項１に記載の商品カタログ。
【請求項３】
前記ＱＲコードは、サイトへのリンク機能を有し、該ＱＲコードのデータにはアクセスし得るサイトのＵＲＬが格納されていることを特徴とする請求項１または請求項２に記載の商品カタログ。
【考案の詳細な説明】
【技術分野】
【０００１】
本考案は、商品カタログに関するものである。
【背景技術】
【０００２】
従来、特許文献１に開示されているように、バーコードが印刷された商品カタログがあった。
【先行技術文献】
【特許文献】
【０００３】
【特許文献１】特開２００６−２５１８７０号公報
【考案の概要】
【考案が解決しようとする課題】
【０００４】
上記特許文献１に開示されているバーコードでは十分な情報量を得ることができないものであり、大量の文字や画像データ等の情報が得られる商品カタログの出現が望まれており、また、従来では、カタログ内の情報が変更された場合や追加された場合は、新たに商品カタログを作り直して配布する必要があるという問題点があった。
また、従来の商品カタログでは、白黒のバーコードが付されていることにより、商品カタログとしての見栄えが悪く、デザイン上問題があった。
【課題を解決するための手段】
【０００５】
本考案は、大量の情報を得ることができ、また、情報の追加や変更があっても作り直す必要のない見栄えの良いデザイン的に優れた商品カタログの提供を目的とし、この目的の少なくとも一部を達成するために以下の手段を採った。
本考案の商品カタログは、複数の商品を紹介する商品カタログであって、該商品カタログには、各商品毎に色の異なるＱＲコードが印刷されていることを要旨とする。
【考案の効果】
【０００６】
本考案の商品カタログでは、各商品毎に色の異なるＱＲコードが印刷されているため、ＱＲコードに種々の色が付されていることで商品カタログ全体の見栄えが良くなり、デザイン的にも優れたものとなる。また、ＱＲコードにより、各商品についての大量の情報を得ることができる。
【０００７】
また、本考案の商品カタログにおいて、前記商品は織物であり、織物の柄毎に色の異なるＱＲコードが印刷されているものとすることもできる。
こうすれば、多種多様の織物の柄毎に、その柄の織物の使用態様等の情報をＱＲコードにより得ることができ、織物の柄毎に色の異なるＱＲコードを用いることで、商品カタログは全体として色彩に優れた見栄えの良いものとなる。
【０００８】
また、本考案の商品カタログにおいて、前記ＱＲコードは、サイトへのリンク機能を有し、該ＱＲコードのデータにはアクセスし得るサイトのＵＲＬが格納されているものとすることもできる。
こうすれば、ＱＲコードに対応したカメラ付き携帯電話で、ＱＲコードを撮影すると、サイトのＵＲＬが画面に表示され、そのＵＲＬを選択してサイトにアクセスすることができ、そのサイトが提供する情報を閲覧することができる。
また、このサイトでは情報を更新して最新の情報を提供することができるため、古い情報を入手することがなく、更新された或いは追加された商品情報を顧客は得ることができるものとなる。そのため、商品カタログを別途作り直す必要はなく、商品カタログそのものは長期間に亘り更新することなく顧客に配布して使用することができるものとなる。
【図面の簡単な説明】
【０００９】
【図１】商品カタログの斜視構成図である。
【図２】商品カタログ中の一枚の内ページの図である。
【図３】商品カタログ中の一枚の内ページの図である。
【図４】商品カタログ中の一枚の内ページの図である。
【図５】商品カタログ中の一枚の内ページの図である。
【図６】ＱＲコードをカメラ付き携帯電話で撮影してサイトにアクセスする説明図である。
【考案を実施するための形態】
【００１０】
次に、本考案を実施するための形態を実施例を用いて説明する。
図１は、商品カタログ１の斜視構成図であり、この商品カタログ１は、例えば、椅子，ソファ用等に使用する織物を紹介する商品カタログである。
【００１１】
図２は、図１の商品カタログ１内の複数のページのうちの一つの内ページ１ｂであり、この内ページ１ｂでは、織物地を椅子に使用した見本が掲載されており、上方の椅子では、座部に横線状の柄の織物が使用されており、また、下方の見本では、椅子の座部および背部に斜めクロス柄の織物地が使用された例を示しており、それぞれ見本写真の上方にＱＲコード２ａ，２ｂが印刷されている。
【００１２】
また、図３は、内ページのうちの一つであり、この内ページ１ｂでは、ソファに紫陽花柄の織物地が使用された見本が掲載されており、その下方にＱＲコード２ｃが印刷されている。
【００１３】
また、図４の内ページ１ｂでは、柄の織物がソファ椅子に使用された見本が掲載されており、その上方にＱＲコード２ｄが印刷されている。
【００１４】
また、図５の内ページ１ｂでは、上方に、縦線模様の柄を有する織物地で座部が形成された椅子が掲載されており、その左側にＱＲコード２ｅが印刷されている。また、下方には、クロス柄の織物を座部および背部に使用した椅子が掲載されており、その左側にＱＲコード２ｆが印刷されている。
【００１５】
この内ページ１ｂにおける各ＱＲコード２ａ，２ｂ，２ｃ，２ｄ，２ｅ，２ｆは、それぞれ異なる色彩が付されたものとなっており、例えば、赤や黄色，青色，緑色等で各ＱＲコード２ａ，２ｂ，２ｃ，２ｄ，２ｅ，２ｆが区別されており、この異なる色彩を付したＱＲコード２ａ，２ｂ，２ｃ，２ｄ，２ｅ，２ｆは、従来のような白黒のものではないため、美しく見栄えが良く、商品カタログ内で各ＱＲコード２ａ〜２ｆが色彩による美感を呈して、商品カタログ全体の色彩が豊かなものとなり、商品カタログ全体のデザイン性が向上し、品位が向上して商品カタログの高級感が得られるものとなっている。
【００１６】
この各ＱＲコード（株式会社デンソーウェーブの登録商標）２ａ，２ｂ，２ｃ，２ｄ，２ｅ，２ｆは、方形の領域内に、セルと呼ばれる方形が所定の規格により配列されてデータが表示されるとともに、切り出しシンボルが隅の３箇所に表示されて構成されている。
【００１７】
このＱＲコード２ａ，２ｂ，２ｃ，２ｄ，２ｅ，２ｆは、ＱＲコードに対応したカメラ付き携帯電話で撮影してデータを読み取ることができるように構成されている。
また、ＱＲコード２ａ，２ｂ，２ｃ，２ｄ，２ｅ，２ｆは、サイトへのリンク機能を有し、そのデータにはアクセスし得るサイトのＵＲＬが格納されている。そのため、このＱＲコード２，２ａ，２ｂ，２ｃ，２ｄ，２ｅ，２ｆを図６に示すようにカメラ付き携帯電話３で撮影すると、カメラ付き携帯電話３の画面にサイト４のＵＲＬが表示され、そのＵＲＬを選択するとサイト４にアクセスすることができ、サイト４が提供する情報を閲覧することができるものである。なお、サイト４では、追加される情報等を更新して最新の情報を提供することができるものである。
【００１８】
従って、カメラ付き携帯電話３の画面に表示されるＵＲＬを選択する操作だけでサイト４の情報を入手でき、カメラ付き携帯電話３さえ所持していれば、容易に多量の情報を入手することができる。なお、サイト４では情報を更新して最新の情報を提供しているため、最新の情報を得ることができるものとなる。
【００１９】
例えば商品カタログ１の発行時には予定されていなかった商品の追加や、後に発生した不具合に対する対処法など、後に追加された情報も、このＱＲコード２，２ａ，２ｂ，２ｃ，２ｄ，２ｅ，２ｆを撮影して入手することができる。そのため、商品カタログ１そのものは、例えば３年等の長期間に亘って更新することなく顧客の手元に置いておくことができ、商品カタログ１を作り直す必要がないためにコストが低減されるものとなり、追加された最新の情報はＱＲコード２，２ａ，２ｂ，２ｃ，２ｄ，２ｅ，２ｆをカメラ付き携帯電話３で撮影して良好に入手できるものである。
【００２０】
なお、ＱＲコード２，２ａ，２ｂ，２ｃ，２ｄ，２ｅ，２ｆは、商品カタログ１の内ページ１ｂに容易に印刷しておくことができるものであり、商品カタログ１の製造コストが嵩むことはない。
なお、このＱＲコード２，２ａ，２ｂ，２ｃ，２ｄ，２ｅ，２ｆには、テキストデータ，音声データ，画像データを格納しておくことができ、カメラ付き携帯電話３を用いてデータを大量に入手することができる。
例えば、ＱＲコード２，２ａ，２ｂ，２ｃ，２ｄ，２ｅ，２ｆには、商品カタログ１を発行した会社の住所，電話番号等のテキストデータおよび各種商品の写真等の画像データを格納することができ、また、音声データが格納されている場合は、カメラ付き携帯電話３を用いて、商品に関する音声による紹介を聴取することもできる。
【００２１】
その他、営業所の住所や地図等、各種の情報を大量にＱＲコード２，２ａ，２ｂ，２ｃ，２ｄ，２ｅ，２ｆに格納しておくことができ、特にインテリア関係の商品カタログ１においては、商品等の種類が多く、新しい使用態様等も追加されるため、商品カタログ１そのものを更新することなくＱＲコード２，２ａ，２ｂ，２ｃ，２ｄ，２ｅ，２ｆを介して追加情報等の最新の情報を容易に入手することができるものとなる。
【００２２】
なお、本例では、椅子やソファに使用される柄の異なる織物毎に、色の異なるＱＲコード２ａ，２ｂ，２ｃ，２ｄ，２ｅ，２ｆを用いたものを例示しているが、織物に限らず、レザー等においても柄の異なる商品毎に色の異なるＱＲコードを印刷して用いることができ、また、更には、椅子やソファに限らずインテリア関係の商品を掲載する商品カタログ１において、各商品毎に色の異なるＱＲコードを用いて、商品カタログの高級感を演出できるものとなる。
【符号の説明】
【００２３】
１  商品カタログ
１ｂ  内ページ
２，２ａ，２ｂ，２ｃ，２ｄ，２ｅ，２ｆ  ＱＲコード
３  カメラ付き携帯電話
４  サイト
0003175609.tif 000003
【手続補正書】
【提出日】平成24年1月25日(2012.1.25)
【手続補正１】
【補正対象書類名】明細書
【補正対象項目名】全文
【補正方法】変更
【補正の内容】
【考案の詳細な説明】
【技術分野】
【０００１】  本考案は、商品カタログに関するものである。
【背景技術】
【０００２】  従来、特許文献１に開示されているように、バーコードが印刷された商品カタログがあった。
【先行技術文献】
【特許文献】
【０００３】
【特許文献１】特開２００６−２５１８７０号公報
【考案の概要】
【考案が解決しようとする課題】
【０００４】  上記特許文献１に開示されている従来の商品カタログでは、白黒のバーコードが付されていることにより、商品カタログとしての見栄えが悪く、デザイン上問題があった。
【課題を解決するための手段】
【０００５】  本考案は、見栄えの良いデザイン的に優れた商品カタログの提供を目的とし、この目的の少なくとも一部を達成するために以下の手段を採った。  本考案の商品カタログは、複数の商品と、各商品毎のＱＲコードが印刷されている商品カタログにおいて、各ＱＲコードは、それぞれ異なる色で印刷されていることを要旨とする。
【考案の効果】
【０００６】  本考案の商品カタログでは、各商品毎に色の異なるＱＲコードが印刷されているため、ＱＲコードに種々の色が付されていることで商品カタログ全体の見栄えが良くなり、デザイン的にも優れたものとなる。また、ＱＲコードにより、各商品についての大量の情報を得ることができる。【０００７】  また、本考案の商品カタログにおいて、前記商品は織物であり、織物の柄毎に色の異なるＱＲコードが印刷されているものとすることもできる。  こうすれば、多種多様の織物の柄毎に、その柄の織物の使用態様等の情報をＱＲコードにより得ることができ、織物の柄毎に色の異なるＱＲコードを用いることで、商品カタログは全体として色彩に優れた見栄えの良いものとなる。
【図面の簡単な説明】
【０００８】
【図１】商品カタログの斜視構成図である。
【図２】商品カタログ中の一枚の内ページの図である。
【図３】商品カタログ中の一枚の内ページの図である。
【図４】商品カタログ中の一枚の内ページの図である。
【図５】ＱＲコードをカメラ付き携帯電話で撮影してサイトにアクセスする説明図である。
【考案を実施するための形態】
【０００９】  次に、本考案を実施するための形態を実施例を用いて説明する。  図１は、商品カタログ１の斜視構成図であり、この商品カタログ１は、例えば、椅子，ソファ用等に使用する織物を紹介する商品カタログである。
【００１０】  図２は、図１の商品カタログ１内の複数のページのうちの一つの内ページ１ｂであり、この内ページ１ｂには、織物地を椅子に使用した商品見本が印刷されて掲載されており、上方の椅子では、座部に横線状の柄の織物が使用されており、また、下方の見本では、椅子の座部および背部に斜めクロス柄の織物地が使用された例を示しており、それぞれ見本写真の上方にＱＲコード２ａ，２ｂが印刷されている。
【００１１】  また、図３は、内ページのうちの一つであり、この内ページ１ｂでは、ソファに紫陽花柄の織物地が使用された商品見本が印刷されて掲載されており、その下方にＱＲコード２ｃが印刷されている。
【００１２】  また、図４の内ページ１ｂでは、柄の織物がソファ椅子に使用された商品見本が印刷されて掲載されており、その上方にＱＲコード２ｄが印刷されている。
【００１３】  この内ページ１ｂにおける各ＱＲコード２ａ，２ｂ，２ｃ，２ｄは、それぞれ異なる色彩が付されたものとなっており、例えば、赤や黄色，青色，緑色等で各ＱＲコード２ａ，２ｂ，２ｃ，２ｄが区別されており、この異なる色彩を付したＱＲコード２ａ，２ｂ，２ｃ，２ｄは、従来のような白黒のものではないため、美しく見栄えが良く、商品カタログ内で各ＱＲコード２ａ〜２ｄが色彩による美感を呈して、商品カタログ全体の色彩が豊かなものとなり、商品カタログ全体のデザイン性が向上し、品位が向上して商品カタログの高級感が得られるものとなっている。
【００１４】  この各ＱＲコード（株式会社デンソーウェーブの登録商標）２ａ，２ｂ，２ｃ，２ｄは、方形の領域内に、セルと呼ばれる方形が所定の規格により配列されてデータが表示されるとともに、切り出しシンボルが隅の３箇所に表示されて構成されている。
【００１５】  このＱＲコード２ａ，２ｂ，２ｃ，２ｄは、ＱＲコードに対応したカメラ付き携帯電話で撮影してデータを読み取ることができるように構成されている。  また、ＱＲコード２ａ，２ｂ，２ｃ，２ｄは、サイトへのリンク機能を有し、そのデータにはアクセスし得るサイトのＵＲＬが格納されている。そのため、このＱＲコード２，２ａ，２ｂ，２ｃ，２ｄを図５に示すようにカメラ付き携帯電話３で撮影すると、カメラ付き携帯電話３の画面にサイト４のＵＲＬが表示され、そのＵＲＬを選択するとサイト４にアクセスすることができ、サイト４が提供する情報を閲覧することができるものである。なお、サイト４では、追加される情報等を更新して最新の情報を提供することができるものである。
【００１６】  従って、カメラ付き携帯電話３の画面に表示されるＵＲＬを選択する操作だけでサイト４の情報を入手でき、カメラ付き携帯電話３さえ所持していれば、容易に多量の情報を入手することができる。なお、サイト４では情報を更新して最新の情報を提供しているため、最新の情報を得ることができるものとなる。
【００１７】  例えば商品カタログ１の発行時には予定されていなかった商品の追加や、後に発生した不具合に対する対処法など、後に追加された情報も、このＱＲコード２，２ａ，２ｂ，２ｃ，２ｄを撮影して入手することができる。そのため、商品カタログ１そのものは、例えば３年等の長期間に亘って更新することなく顧客の手元に置いておくことができ、商品カタログ１を作り直す必要がないためにコストが低減されるものとなり、追加された最新の情報はＱＲコード２，２ａ，２ｂ，２ｃ，２ｄをカメラ付き携帯電話３で撮影して良好に入手できるものである。
【００１８】  なお、ＱＲコード２，２ａ，２ｂ，２ｃ，２ｄは、商品カタログ１の内ページ１ｂに容易に印刷しておくことができるものであり、商品カタログ１の製造コストが嵩むことはない。  なお、このＱＲコード２，２ａ，２ｂ，２ｃ，２ｄには、テキストデータ，音声データ，画像データを格納しておくことができ、カメラ付き携帯電話３を用いてデータを大量に入手することができる。  例えば、ＱＲコード２，２ａ，２ｂ，２ｃ，２ｄには、商品カタログ１を発行した会社の住所，電話番号等のテキストデータおよび各種商品の写真等の画像データを格納することができ、また、音声データが格納されている場合は、カメラ付き携帯電話３を用いて、商品に関する音声による紹介を聴取することもできる。
【００１９】  その他、営業所の住所や地図等、各種の情報を大量にＱＲコード２，２ａ，２ｂ，２ｃ，２ｄに格納しておくことができ、特にインテリア関係の商品カタログ１においては、商品等の種類が多く、新しい使用態様等も追加されるため、商品カタログ１そのものを更新することなくＱＲコード２，２ａ，２ｂ，２ｃ，２ｄを介して追加情報等の最新の情報を容易に入手することができるものとなる。
【００２０】  なお、本例では、椅子やソファに使用される柄の異なる織物毎に、色の異なるＱＲコード２ａ，２ｂ，２ｃ，２ｄを用いたものを例示しているが、織物に限らず、レザー等においても柄の異なる商品毎に色の異なるＱＲコードを印刷して用いることができ、また、更には、椅子やソファに限らずインテリア関係の商品を掲載する商品カタログ１において、各商品毎に色の異なるＱＲコードを用いて、商品カタログの高級感を演出できるものとなる。
【符号の説明】
【００２１】  １  商品カタログ  １ｂ  内ページ  ２，２ａ，２ｂ，２ｃ，２ｄ  ＱＲコード  ３  カメラ付き携帯電話  ４  サイト
【手続補正２】
【補正対象書類名】実用新案登録請求の範囲
【補正対象項目名】全文
【補正方法】変更
【補正の内容】
【実用新案登録請求の範囲】
【請求項１】
複数の商品と、各商品毎のＱＲコードが印刷されている商品カタログにおいて、各ＱＲコードは、それぞれ異なる色で印刷されていることを特徴とする商品カタログ。
【請求項２】
前記商品は織物であり、織物の柄毎に色の異なるＱＲコードが印刷されていることを特徴とする請求項１に記載の商品カタログ。
【手続補正３】
【補正対象書類名】図面
【補正対象項目名】全図
【補正方法】変更
【補正の内容】
【図１】
0003175609.tif 000004
【図２】
0003175609.tif 000005
【図３】
0003175609.tif 000006
【図４】
0003175609.tif 000007
【図５】
0003175609.tif 000008
【手続補正書】
【提出日】平成24年3月12日(2012.3.12)
【手続補正１】
【補正対象書類名】実用新案登録請求の範囲
【補正対象項目名】全文
【補正方法】変更
【補正の内容】
【実用新案登録請求の範囲】
【請求項１】
商品カタログの各ページには、商品を使用した商品見本の写真を印刷するための第一区画部が設けられているとともに、該第一区画部の外側または該第一区画部内には、文字等を印刷するために空白とした第二区画部が設けられてなり、該第二区画部内には、方形状の着色部が配置され、各第一区画部に対する各着色部の色彩は異なるものに設定されているとともに、前記第一区画部と前記第二区画部と前記着色部の面積比は、一定比率に設定されていることを特徴とする商品カタログ。
【請求項２】
前記商品は織物であり、織物の柄毎に各着色部の色彩は異なるものに設定されていることを特徴とする請求項１に記載の商品カタログ。
【手続補正２】
【補正対象書類名】明細書
【補正対象項目名】全文
【補正方法】変更
【補正の内容】
【考案の詳細な説明】
【技術分野】
【０００１】
本考案は、商品カタログに関するものである。
【背景技術】
【０００２】
従来、特許文献１に開示されているように、バーコードが印刷された商品カタログがあった。
【先行技術文献】
【特許文献】
【０００３】
【特許文献１】特開２００６−２５１８７０号公報
【考案の概要】
【考案が解決しようとする課題】
【０００４】
上記特許文献１に開示されている従来の商品カタログでは、白黒のバーコードが付されていることにより、商品カタログとしての見栄えが悪く、デザイン上問題があった。
【課題を解決するための手段】
【０００５】
本考案は、見栄えの良いデザイン的に優れた商品カタログの提供を目的とし、この目的の少なくとも一部を達成するために以下の手段を採った。
本考案の商品カタログは、商品カタログの各ページには、商品を使用した商品見本の写真を印刷するための第一区画部が設けられているとともに、該第一区画部の外側または該第一区画部内には、文字等を印刷するために空白とした第二区画部が設けられてなり、該第二区画部内には、方形状の着色部が配置され、各第一区画部に対する各着色部の色彩は異なるものに設定されているとともに、前記第一区画部と前記第二区画部と前記着色部の面積比は、一定比率に設定されていることを要旨とする。
【考案の効果】
【０００６】
本考案の商品カタログでは、商品カタログ全体の見栄えが良くなり、デザイン的にも優れたものとなる。
【０００７】
また、本考案の商品カタログにおいて、前記商品は織物であり、織物の柄毎に各着色部の色彩は異なるものに設定されているものとすることもできる。
こうすれば、多種多様の織物の柄毎に色の異なる着色部を用いることで、商品カタログは全体として色彩に優れた見栄えの良いものとなる。
【図面の簡単な説明】
【０００８】
【図１】商品カタログの斜視構成図である。
【図２】商品カタログ中の一枚の内ページの図である。
【図３】商品カタログ中の一枚の内ページの図である。
【図４】商品カタログ中の一枚の内ページの図である。
【図５】ＱＲコードをカメラ付き携帯電話で撮影してサイトにアクセスする説明図である。
【考案を実施するための形態】
【０００９】
次に、本考案を実施するための形態を実施例を用いて説明する。
図１は、商品カタログ１の斜視構成図であり、この商品カタログ１は、例えば、椅子，ソファ用等に使用する織物を紹介する商品カタログである。
【００１０】
図２は、図１の商品カタログ１内の複数のページのうちの一つの内ページ１ｂであり、この内ページ１ｂには、織物地を椅子に使用した商品見本の写真が印刷されて掲載されており、上方の椅子では、座部に横線状の柄の織物が使用されており、また、下方の見本では、椅子の座部および背部に斜めクロス柄の織物地が使用された例を示しており、それぞれ見本写真が掲載された区画部の外側の、空白の区画部内の上方にＱＲコード２ａ，２ｂが印刷されている。
商品見本の写真が掲載された区画部と、外側の空白の区画部と、ＱＲコード２ａ，２ｂが印刷された着色部の面積比は、一定比率に設定されており、商品見本の写真が掲載された区画部と、外側の空白の区画部と、ＱＲコード２ａ，２ｂが印刷された着色部の面積比は、例えば、２０対１０対１の面積比に設定されて、美感を呈しデザイン性が良いものとなっている
【００１１】
また、図３は、内ページのうちの一つであり、この内ページ１ｂでは、ソファに紫陽花柄の織物地が使用された商品見本が印刷されて掲載されており、見本写真が掲載された区画部の外側の、空白の区画部内にＱＲコード２ｃが印刷されている。
商品見本の写真が掲載された区画部と、外側の空白の区画部と、ＱＲコード２ｃが印刷された着色部の面積比は、一定比率に設定されており、商品見本の写真が掲載された区画部と、外側の空白の区画部と、ＱＲコード２ｃが印刷された着色部の面積比は、例えば、３０対１０対１の面積比に設定されて、美感を呈しデザイン性が良いものとなっている。
【００１２】
また、図４の内ページ１ｂでは、柄の織物がソファ椅子に使用された商品見本が印刷されて掲載されており、見本写真の内側の空白の区画部内にＱＲコード２ｄが印刷されている。
商品見本の写真が掲載された区画部と、空白の区画部と、ＱＲコード２ｄが印刷された着色部の面積比は、一定比率に設定されており、商品見本の写真が掲載された区画部と、空白の区画部と、ＱＲコード２ｄが印刷された着色部の面積比は、例えば、５０対１０対１の面積比に設定されて、美感を呈しデザイン性が良いものとなっている。
【００１３】
この内ページ１ｂにおける各ＱＲコード２ａ，２ｂ，２ｃ，２ｄは、それぞれ異なる色彩が付されたものとなっており、例えば、赤や黄色，青色，緑色等で各ＱＲコード２ａ，２ｂ，２ｃ，２ｄが区別されており、この異なる色彩を付したＱＲコード２ａ，２ｂ，２ｃ，２ｄは、従来のような白黒のものではないため、美しく見栄えが良く、商品カタログ内で各ＱＲコード２ａ〜２ｄが色彩による美感を呈して、商品カタログ全体の色彩が豊かなものとなり、商品カタログ全体のデザイン性が向上し、品位が向上して商品カタログの高級感が得られるものとなっている。
【００１４】
この各ＱＲコード（株式会社デンソーウェーブの登録商標）２ａ，２ｂ，２ｃ，２ｄは、方形の領域内に、セルと呼ばれる方形が所定の規格により配列されてデータが表示されるとともに、切り出しシンボルが隅の３箇所に表示されて構成されている。
【００１５】
このＱＲコード２ａ，２ｂ，２ｃ，２ｄは、ＱＲコードに対応したカメラ付き携帯電話で撮影してデータを読み取ることができるように構成されている。
また、ＱＲコード２ａ，２ｂ，２ｃ，２ｄは、サイトへのリンク機能を有し、そのデータにはアクセスし得るサイトのＵＲＬが格納されている。そのため、このＱＲコード２，２ａ，２ｂ，２ｃ，２ｄを図５に示すようにカメラ付き携帯電話３で撮影すると、カメラ付き携帯電話３の画面にサイト４のＵＲＬが表示され、そのＵＲＬを選択するとサイト４にアクセスすることができ、サイト４が提供する情報を閲覧することができるものである。なお、サイト４では、追加される情報等を更新して最新の情報を提供することができるものである。
【００１６】
従って、カメラ付き携帯電話３の画面に表示されるＵＲＬを選択する操作だけでサイト４の情報を入手でき、カメラ付き携帯電話３さえ所持していれば、容易に多量の情報を入手することができる。なお、サイト４では情報を更新して最新の情報を提供しているため、最新の情報を得ることができるものとなる。
【００１７】
例えば商品カタログ１の発行時には予定されていなかった商品の追加や、後に発生した不具合に対する対処法など、後に追加された情報も、このＱＲコード２，２ａ，２ｂ，２ｃ，２ｄを撮影して入手することができる。そのため、商品カタログ１そのものは、例えば３年等の長期間に亘って更新することなく顧客の手元に置いておくことができ、商品カタログ１を作り直す必要がないためにコストが低減されるものとなり、追加された最新の情報はＱＲコード２，２ａ，２ｂ，２ｃ，２ｄをカメラ付き携帯電話３で撮影して良好に入手できるものである。
【００１８】
なお、ＱＲコード２，２ａ，２ｂ，２ｃ，２ｄは、商品カタログ１の内ページ１ｂに容易に印刷しておくことができるものであり、商品カタログ１の製造コストが嵩むことはない。
なお、このＱＲコード２，２ａ，２ｂ，２ｃ，２ｄには、テキストデータ，音声データ，画像データを格納しておくことができ、カメラ付き携帯電話３を用いてデータを大量に入手することができる。
例えば、ＱＲコード２，２ａ，２ｂ，２ｃ，２ｄには、商品カタログ１を発行した会社の住所，電話番号等のテキストデータおよび各種商品の写真等の画像データを格納することができ、また、音声データが格納されている場合は、カメラ付き携帯電話３を用いて、商品に関する音声による紹介を聴取することもできる。
【００１９】
その他、営業所の住所や地図等、各種の情報を大量にＱＲコード２，２ａ，２ｂ，２ｃ，２ｄに格納しておくことができ、特にインテリア関係の商品カタログ１においては、商品等の種類が多く、新しい使用態様等も追加されるため、商品カタログ１そのものを更新することなくＱＲコード２，２ａ，２ｂ，２ｃ，２ｄを介して追加情報等の最新の情報を容易に入手することができるものとなる。
【００２０】
なお、本例では、椅子やソファに使用される柄の異なる織物毎に、色の異なるＱＲコード２ａ，２ｂ，２ｃ，２ｄを用いたものを例示しているが、織物に限らず、レザー等においても柄の異なる商品毎に色の異なるＱＲコードを印刷して用いることができ、また、更には、椅子やソファに限らずインテリア関係の商品を掲載する商品カタログ１において、各商品毎に色の異なるＱＲコードを用いて、商品カタログの高級感を演出できるものとなる。
【符号の説明】
【００２１】
１  商品カタログ
１ｂ  内ページ
２，２ａ，２ｂ，２ｃ，２ｄ  ＱＲコード
３  カメラ付き携帯電話
４  サイト